(57)【特許請求の範囲】
【請求項１】
光ディスクを上側本体と下側本体との間に収納するための空間を有するディスクカートリッジであって、
前記上側本体は、光ヘッドのアクチュエータカバー及びターンテーブルを前記上側本体の内部に侵入させるための開口部を有し、
前記開口部の縁部に第１の開放部と第２の開放部を有し、
前記上側本体の前記光ディスクに対向する面に、
前記第１の開放部から円周方向に設けられた、前記光ディスクの正回転によって発生する空気の流れを導くための第１の溝と、
前記第２の開放部から円周方向に設けられた、前記光ディスクの逆回転によって発生する空気の流れを導くための第２の溝の両方を有する、ディスクカートリッジ。
【請求項２】
前記第１の溝及び前記第２の溝の幅は、前記開口部の縁部に近づくにつれて除々に狭くなる、請求項１記載のディスクカートリッジ。
【請求項３】
前記第１の溝及び前記第２の溝の深さを、前記開口部の縁部に近づくにつれて除々に浅くするためのテーパ部が設けられている、請求項１記載のディスクカートリッジ。
【発明の詳細な説明】
【技術分野】
【０００１】
本発明は、ディスクカートリッジに関する。
【背景技術】
【０００２】
デジタルバーサタイルディスク（以下、ＤＶＤという）は、デジタルデータをコンパクトディスク（以下、ＣＤという）の約６倍の記録密度で記録することが可能であり、画像などの大容量データが形成されているＲＯＭまたは記録可能な光ディスクとして知られている。
【０００３】
近年は、高画質化などによりＲＯＭとしても、また記録対象となる情報量が増加しているため、ＤＶＤよりさらに容量の大きい高記録密度の光ディスクが求められている。
【０００４】
光ディスクの高記録密度化のためには、一般に、データの記録時および再生時に光ディスクに放射されるレーザ光のスポット径を小さくすればよい。
【０００５】
レーザ光のスポット径を小さくするためには、レーザ光の波長をより短くするとともに、光ディスク上に光スポットを形成するための対物レンズの開口数（ＮＡ）を大きくすればよい。例えば、ＤＶＤの場合、波長６６０ｎｍの半導体レーザ光と、ＮＡ０．６の集光素子(対物レンズ)とが使用される。光ディスクの高記録密度化のために、波長４０５ｎｍの青色レーザ光と、ＮＡ０．８５の対物レンズとを使用した場合、ＤＶＤの約５倍の記録密度のＲＯＭや、記録可能な光ディスク（以下、高密度化光ディスクという）を得ることができる。
【０００６】
しかしながら、対物レンズの外径サイズをあまり変えずにＮＡを大きくすると、対物レンズと光ディスクとの作動距離（ＷＤ：Ｗｏｒｋｉｎｇ  Ｄｉｓｔａｎｃｅ）が短くなる。具体的には、上記の波長４０５ｎｍの青色レーザ光とＮＡ０．８５の対物レンズとを用いた場合、ＷＤが０．３ｍｍ程度となる。また、光ディスク（ＤＶＤ）の面ぶれが０．３ｍｍ程度であるため、高密度化光ディスクを記録再生する光ディスク装置は、フォーカスサーボが外れた場合や、動作停止中に振動が加わった場合などに、対物レンズと光ディスクとの衝突が起こりやすくなる。衝突によって対物レンズや光ディスクに衝突痕や傷が発生すると、光ディスクに記録された情報を正しく再生できない、もしくは光ディスクに情報を正しく記録できない、という問題が発生する。
【０００７】
上記の問題を解決するための手段として、一般的に用いられている従来の技術を説明する。
【０００８】
図１７は、例えば特許文献１に掲載された、従来の光ディスク装置の上面図であり、図１８は、図１７のＸ−Ｘ断面図である。
【０００９】
図１７及び図１８に示す光ディスク装置９０は、光ヘッド１１と、信号処理回路１２０と、サーボ制御回路１３０と、トラバースモータ１５と、ターンテーブル１６と、スピンドルモータ１７とを備える。なお、説明の便宜のために、図１７には、光ディスク１４を示している。光ヘッド１１は、光ディスク１４上に集光される光ビームを放射するとともに、光ディスク１４からの反射光を検出して、反射光の検出位置と検出光量とに応じた電気信号（光量信号）を出力する。信号処理回路１２０は、光ヘッド１１が出力する光量信号に応じて、光ディスク１４上の光スポットの合焦状態を示すフォーカスエラー（ＦＥ）信号や、光スポットと光ディスク１４のトラックとの位置関係を示すトラッキングエラー（ＴＥ）信号等を生成して出力する。ＦＥ信号やＴＥ信号は、サーボ信号と総称される。サーボ制御回路１３０は、信号処理回路１２０が出力するサーボ信号に応じて駆動信号を生成する。駆動信号は、対物レンズ１１５の位置を調整するための、後述するアクチュエータコイル１１７に入力される信号である。駆動信号により、光ディスク１４上の光スポットは、光ディスク１４の記録層から外れないように制御される。スピンドルモータ１７は、記録／再生速度に応じた回転速度で、ターンテーブル１６に搭載された光ディスク１４を回転させる。トラバースモータ１５は、所望の記録／再生位置に光ヘッド１１を光ディスク１４の半径方向に移動させる。
【００１０】
光ヘッド１１は、半導体レーザ１１１と、ビームスプリッタ１１２と、コリメートレンズ１１３と、ミラー１１４と、対物レンズ１１５と、アクチュエータコイル１１７と、マルチレンズ１１８と、フォトダイオード１１９と、アクチュエータカバー１８と、対物レンズホルダ１９と、保護部材１３ａ〜１３ｃとを有する。光ヘッド１１において、半導体レーザ１１１は、ＧａＮ系の青色発光する半導体レーザであり、青色の光ビームを放射する半導体レーザである。
【００１１】
ビームスプリッタ１１２は、半導体レーザ１１１から出射する光ビームを反射する。コリメートレンズ１１３は、ビームスプリッタ１１２で反射した光ビームを平行光にするレンズである。対物レンズ１１５は、ミラー１１４が反射した光ビームを集光して、光ディスク１４上に光スポットを形成するレンズである。
【００１２】
アクチュエータコイル１１７は、印加される駆動信号のレベルに応じて、光ディスク１４に対して垂直方向または平行方向に、対物レンズ１１５が取り付けられた対物レンズホルダ１９を移動させる。
【００１３】
光ディスク１４上に集光された光ビームは、対物レンズ１１５、ミラー１１４、コリメートレンズ１１３及びビームスプリッタ１１２を透過する。マルチレンズ１１８は、ビームスプリッタ１１２を透過した光ビームをフォトダイオード１１９に集光させる。フォトダイオード１１９は、入射した光ビームを光量信号に変換する。
【００１４】
一般にフォトダイオード１１９は、複数の受光領域を持つ。このため、信号処理回路１２０は、光量信号を検出したフォトダイオード１１９の受光領域の情報を利用してＦＥ信号およびＴＥ信号を生成する。
【００１５】
光スポットが光ディスク１４の記録層に形成されるように、光ヘッド１１が制御されている状態において、信号処理回路１２０は光量信号に基づいて光ディスク１４に書き込まれた情報信号を再生する。また、光ビームの光パワーを再生時よりも大きくすることにより、光ディスク装置９０は、光ディスク１４の記録層にデータを記録することができる。
【００１６】
従来の光ディスク装置９０において、光ヘッド１１には、対物レンズ１１５の頂点よりも光ディスク１４側に突出した保護部材１３ａ〜１３ｃが、対物レンズホルダ１９上の対物レンズ１１５の近傍に、対物レンズ１１５を取り囲むようにして設置される。保護部材１３ａ〜１３ｃには、光ディスク１４と接触しても光ディスク１４を傷付けにくい材料として、弾性樹脂（例えば、シリコン樹脂またはＰＯＭ（ポリオキシメチレン樹脂））などが用いられる。
【００１７】
したがって、光ヘッド１１のフォーカスサーボが外れた場合や、動作停止中に光ディスク装置９０に振動が加わった場合などにおいても、保護部材１３ａ〜１３ｃが光ディスク１４に接触するため、対物レンズ１１５と光ディスク１４とが直接衝突することを防ぐことができる。つまり、保護部材１３ａ〜１３ｃにより、対物レンズ１１５および光ディスク１４に傷が発生することを防ぐことができる。
【先行技術文献】
【特許文献】
【００１８】
【特許文献１】特開２００１−３１９３５５号公報
【発明の概要】
【発明が解決しようとする課題】
【００１９】
しかしながら、従来の光ディスク装置９０において、保護部材１３ａ〜１３ｃの表面または光ディスク１４のデータ記録面に、ゴミまたは埃が付着する可能性がある。このような状態で、光ヘッド１１のフォーカスサーボが外れた場合や、動作停止中に光ディスク装置９０に振動が加わった場合に、保護部材１３ａ〜１３ｃと光ディスク１４とが衝突すると、光ディスク１４のデータ記録面に傷が発生するという問題がある。光ディスク１４のデータ記録面に傷が発生すると、光ディスク装置９０による光ディスク１４へのデータの記録、または光ディスク１４に記録されたデータの再生が正しくなされないという問題が発生する。
【００２０】
故に本発明は、上記従来の課題を考慮し、光ディスク装置のフォーカスサーボが外れた場合や、動作停止中に光ディスク装置に振動が加わった場合に、保護部材と光ディスクとの衝突することによって、光ディスクのデータ記録面が傷つくという可能性を低減するディスクカートリッジを提供することを目的とする。
【課題を解決するための手段】
【００３１】
上記課題を解決するために、第１の本発明は、
光ディスクを上側本体と下側本体との間に収納するための空間を有するディスクカートリッジであって、
前記上側本体は、光ヘッドのアクチュエータカバー及びターンテーブルを前記上側本体の内部に侵入させるための開口部を有し、
前記開口部の縁部に第１の開放部と第２の開放部を有し、
前記上側本体の前記光ディスクに対向する面に、
前記第１の開放部から円周方向に設けられた、前記光ディスクの正回転によって発生する空気の流れを導くための第１の溝と、
前記第２の開放部から円周方向に設けられた、前記光ディスクの逆回転によって発生する空気の流れを導くための第２の溝の両方を有する、ディスクカートリッジである。
【００３２】
また、第２の本発明は、
前記第１の溝及び前記第２の溝の幅は、前記開口部の縁部に近づくにつれて除々に狭くなる、第１の本発明のディスクカートリッジである。
【００３３】
また、第３の本発明は、
前記第１の溝及び前記第２の溝の深さを、前記開口部の縁部に近づくにつれて除々に浅くするためのテーパ部が設けられている、第１の本発明のディスクカートリッジである。
【発明の効果】
【００５３】
本発明は、光ディスクのデータ記録面が傷つくという可能性を低減する効果を有する。
【図面の簡単な説明】
【００５４】
【図１】実施の形態１に係る光ディスク装置７１の構成を示すブロック断面図
【図２】光ディスク装置７１のターンテーブル２０付近を拡大した図
【図３】（ａ）実施の形態１に係る光ディスク装置７１のターンテーブル２０の上面図、（ｂ）実施の形態１に係る光ディスク装置７１のターンテーブル２０のＡ−Ａ断面図、（ｃ）実施の形態１に係る光ディスク装置７１のターンテーブル２０の裏面図、（ｄ）実施の形態１に係る光ディスク装置７１のＬ−Ｌ断面図
【図４】（ａ）実施の形態１に係る光ディスク装置７１のターンテーブル２５の上面図、（ｂ）実施の形態１に係る光ディスク装置７１のターンテーブル２５のＢ−Ｂ断面図、（ｃ）実施の形態１に係る光ディスク装置７１のターンテーブル２５の裏面図
【図５】（ａ）実施の形態２に係る光ディスク装置のターンテーブル３０の上面図、（ｂ）実施の形態２に係る光ディスク装置のターンテーブル３０のＣ−Ｃ断面図、（ｃ）実施の形態２に係る光ディスク装置のターンテーブル３０の裏面図
【図６】（ａ）実施の形態３に係る光ディスク装置のスピンドルモータ３５の側面図、（ｂ）実施の形態３に係る光ディスク装置のスピンドルモータ３５のＤ−Ｄ断面図
【図７】（ａ）実施の形態４に係る光ディスク装置のターンテーブル３０及びスピンドルモータ３５の裏面図、（ｂ）実施の形態４に係る光ディスク装置のターンテーブル３０及びスピンドルモータ３５の側面図、（ｃ）実施の形態４に係る光ディスク装置のターンテーブル３０及びスピンドルモータ３５のＥ−Ｅ断面図
【図８】（ａ）実施の形態５に係る光ディスク装置の断面図、（ｂ）実施の形態５に係る光ディスク装置のＦ−Ｆ断面図
【図９】実施の形態６に係る光ディスク装置の光ヘッドの位置を説明する図
【図１０Ａ】実施の形態９に係る光ディスク装置の上面図
【図１０Ｂ】実施の形態９に係る光ディスク装置のＧ−Ｇ断面図
【図１１】アクチュエータカバー５０付近を拡大した図
【図１２Ａ】実施の形態１１に係る光ディスク装置８１の上面図
【図１２Ｂ】実施の形態１１に係る光ディスク装置８１のＨ−Ｈ断面図
【図１３Ａ】実施の形態１２に係る光ディスク装置８２の上面図
【図１３Ｂ】実施の形態１２に係る光ディスク装置８２のＩ−Ｉ断面図
【図１４Ａ】実施の形態１３に係る光ディスク装置８３の上面図
【図１４Ｂ】実施の形態１３に係る光ディスク装置８３のＪ−Ｊ断面図
【図１５Ａ】実施の形態１４に係るディスクカートリッジ８４を、光ディスク装置が搭載したときの上面図
【図１５Ｂ】実施の形態１４に係るディスクカートリッジ８４を光ディスク装置に設置したときのＫ−Ｋ断面図
【図１６】実施の形態１４に係るディスクカートリッジ８４を光ディスク装置に設置したときの断面図
【図１７】従来の光ディスク装置の上面図
【図１８】従来の光ディスク装置のＸ−Ｘ断面図
【発明を実施するための形態】
【００５５】
以下、本発明に係る実施の形態について、図面を参照しながら説明する。
【００５６】
（実施の形態１）
図１は、本発明の実施の形態１に係る光ディスク装置７１の構成において、光ディスク装置７１を機能的に説明するための略示ブロック図である。以下の説明において、図１の光ディスク装置７１を構成するブロックが、図１７及び図１８の従来の光ディスク装置９０を構成するブロックと同じ動作をするものについては、従来の光ディスク装置９０を構成するブロックと同じ参照符号を付し、その説明を省略する。
【００５７】
本実施の形態に係る光ディスク装置７１を、図２及び図３（ａ）〜（ｄ）を用いて詳しく説明する。
【００５８】
図２は、図１に示す光ディスク装置７１において、ターンテーブル２０及びスピンドルモータ１７付近を拡大した図である。図２に示すように、ターンテーブル２０の駆動用モータとしてのスピンドルモータ１７に固定されたターンテーブル２０は、光ディスク１４を搭載して回転する。光ヘッド１１は、光ディスク１４の半径方向の最内周側に位置させてもよい。半径方向の最内周側の位置とは、光ヘッド１１が半径方向に移動可能な領域の中で、内周側へ移動可能な機械的な限界位置を意味する。
【００５９】
図２の矢印２１は、塵埃除去風を示す。塵埃除去風は、保護部材１３ａ〜１３ｃを含む対物レンズ１１５の周辺の領域、または対物レンズ１１５側の光ディスクの表面（以下、対物レンズ側領域という）に付着した塵埃を除去する空気の流れをいう。光ディスク装置７１が塵埃除去風を発生させる動作については後述する。
【００６０】
ターンテーブル２０の詳細な構造について、図３（ａ）〜（ｄ）を用いて説明する。
【００６１】
図３（ａ）は、ターンテーブル２０の上面（光ディスク１４側の面）図である。図３（ｂ）は、ターンテーブル２０のＡ−Ａ断面図である。図３（ｃ）は、ターンテーブル２０の裏面（スピンドルモータ１７側の面）図である。
図３（ａ）〜（ｄ）に示すように、ターンテーブル２０の表面には、凹部及び凸部が設けられている。
【００６２】
ターンテーブル２０の裏面に、本発明の凹部としての複数の誘導溝２２ａ〜２２ｈが設けられている。複数の誘導溝２２ａ〜２２ｈは、ターンテーブル２０の中心近傍から放射状に延び、ターンテーブル２０の外周縁部２４に、それぞれ開放部２４ａ〜２４ｈを有する溝である。また、ターンテーブル２０の外周縁部２４に、本発明の凸部としてのフィン２３ａ〜２３ｈが設けられている。フィン２３ａ〜２３ｈは、一定の厚さを有した板状突起である。誘導溝２２ｃの断面を、図３（ｂ）のＬ−Ｌ断面図である図３（ｄ）に示した。
【００６３】
次に、光ディスク装置７１が塵埃除去風を発生させる基本的な動作について説明する。
【００６４】
ここでは一例として、光ディスク装置７１に光ディスク１４が搭載されているものとする。スピンドルモータ１７の駆動に伴い、光ディスク１４が搭載されたターンテーブル２０が回転すると、複数の誘導溝２２ａ〜２２ｈ及びフィン２３ａ〜２３ｈによって、空気の流れが発生する。この空気の流れは、ターンテーブル２０の半径方向に向かって流れる。半径方向とは、光ディスク１４の中心から外周縁部に向かう方向をいう。また、この空気の流れは、対物レンズ側領域に達するとともに、塵埃除去風として、対物レンズ側領域に付着した塵埃を除去する。
【００６５】
これにより、光ディスク装置７１は、保護部材１３ａ〜１３ｃや、光ディスク１４の表面などに付着したゴミや埃などを除去することができるため、保護部材１３ａ〜１３ｃと光ディスク１４とが衝突したとしても、光ディスク１４の表面に傷が発生する可能性を低減することが可能となる。
【００６６】
なお、本実施の形態において、複数の誘導溝２２ａ〜２２ｈは、図４（ａ）〜（ｃ）に示すターンテーブル２５のように、ターンテーブル２５の中心近傍から放射状に形成され、弧を描くように形成された複数の誘導溝２６ａ〜２６ｈとしてもよい。
【００６７】
また、複数のフィン２３ａ〜２３ｈは、例えば弾性体で形成されてもよいし、ターンテーブルと一体形成されてもよい。
【００６８】
また、スピンドルモータ１７は、インナーロータ型またはアウターロータ型のどちらでもよい。
【００６９】
また、上記実施の形態では、便宜上、光ディスク装置７１に光ディスク１４が搭載されている場合について説明したが、これに限らず、光ディスク１４が搭載されていなくてもよい。その場合は、保護部材１３ａ〜１３ｃの表面などに付着したゴミや埃などを除去することができるため、保護部材１３ａ〜１３ｃと光ディスク１４とが衝突したとしても、光ディスク１４の表面に傷が発生する可能性を低減することが可能となる。
【００７０】
尚、スピンドルモータを駆動させるタイミングや、駆動期間については、実施の形態６以降において詳細に説明する。
【００７１】
（実施の形態２）
図５（ａ）は、本発明の実施の形態２に係る光ディスク装置のターンテーブル３０の上面（光ディスク１４側の面）図である。図５（ｂ）は、ターンテーブル３０のＣ−Ｃ断面図である。図５（ｃ）は、ターンテーブル３０の裏面（スピンドルモータ１７側の面）図である。
【００７２】
以下、図５（ａ）〜（ｃ）を用いて、本発明の実施の形態２に係る光ディスク装置について説明する。
【００７３】
なお、実施の形態２の光ディスク装置と、実施の形態１の光ディスク装置７１とは、ターンテーブルの構造のみが異なる。このため、本実施の形態では、主としてターンテーブル３０の構造について説明する。
【００７４】
ターンテーブル３０の外周縁部３４には、実施の形態１に記載したターンテーブル２０と同様の、凸部としての複数のフィン２３ａ〜２３ｈが形成される。
【００７５】
図５（ｂ）及び（ｃ）に示すように、ターンテーブル３０の上面に、本発明の凹部としての複数の誘導溝３１ａ〜３１ｈが設けられている。複数の誘導溝３１ａ〜３１ｈは、ターンテーブル３０の中心近傍から放射状に延び、ターンテーブル３０の外周縁部３４に、それぞれ開放部３４ａ〜３４ｈを有する溝である。また、ターンテーブル３０には、複数の誘導溝３１ａ〜３１ｈの中心近傍側のそれぞれの底面３３ａ〜３３ｈとターンテーブル３０の裏面とを貫通する複数の貫通孔３２ａ〜３２ｈが設けられている。図５（ａ）〜（ｃ）では、複数の誘導溝３１ａ〜３１ｈと複数の貫通孔３２ａ〜３２ｈとが１対１で対応している。しかし、一つの誘導溝に複数の貫通孔が設けられること、また、複数の誘導溝で一つの貫通孔を共有することを妨げるものではない。
【００７６】
次に、実施の形態２に係る光ディスク装置が、塵埃除去風を発生させる基本的な動作について説明する。
【００７７】
スピンドルモータ１７の駆動に伴い、光ディスク１４が搭載されたターンテーブル３０が回転すると、複数の貫通孔３２ａ〜３２ｈに空気が流入する。流入した空気は、光ディスク１４と複数の誘導溝３１ａ〜３１ｈとの間の空間を通り、開放部３４ａ〜３４ｈから、ターンテーブル３０の半径方向へ放出される。放出された空気は、塵埃除去風として、対物レンズ側領域に達するとともに、対物レンズ側領域に付着した塵埃を除去する。また、光ディスク１４の表面を塵埃除去風が流れることにより、光ディスク１４の表面に付着した塵埃も除去される。
【００７８】
これにより、実施の形態２に係る光ディスク装置は、保護部材１３ａ〜１３ｃや、光ディスク１４の表面などに付着したゴミや埃などを除去することができるため、保護部材１３ａ〜１３ｃと光ディスク１４とが衝突したとしても、光ディスク１４の表面に傷が発生する可能性を低減することが可能となる。
【００７９】
ターンテーブル３０の回転によって発生する塵埃除去風の風量は、実施の形態１のターンテーブル２０の回転によって発生する塵埃除去風の風量よりも大きくなる。従って、実施の形態２に係る光ディスク装置は、実施の形態１に係る光ディスク装置７１よりも、塵埃を除去する効果を大きくすることができる。
【００８０】
なお、ターンテーブル３０に設けられた複数の誘導溝３１ａ〜３１ｈは、ターンテーブル３０の中心近傍から外周縁部に向けて放射状に設けられるとしたが、図４（ａ）〜（ｃ）に示すように、ターンテーブル３０の中心近傍から放射状に、かつ、弧を描くように形成されてもよい。
【００８１】
（実施の形態３）
図６（ａ）は、本発明の実施の形態３に係る光ディスク装置のスピンドルモータ３５及びターンテーブル１６の側面図である。図６（ｂ）は、図６（ａ）のＤ−Ｄ断面図である。すなわち、図６（ｂ）は、スピンドルモータ３５をターンテーブル１６側から見た図である。以下、本発明の実施の形態３に係る光ディスク装置について説明する。
【００８２】
実施の形態３に係る光ディスク装置は、図２に示す光ディスク装置７１のターンテーブル２０を、従来のターンテーブル１６に置き換えるとともに、スピンドルモータ１７をスピンドルモータ３５に置き換えている。実施の形態３に係る光ディスク装置のその他の構成は、実施の形態１で説明した光ディスク装置７１の構成と同様であるため、説明を省略する。
【００８３】
まず、スピンドルモータ３５の構造を説明する。
【００８４】
スピンドルモータ３５は、アウターロータ型のスピンドルモータであり、側面の回転部に凸部が設けられている。図６（ａ）に示すように、スピンドルモータ３５は、回転部に凸部として複数のフィン３６ａ〜３６ｈが設けられる。複数のフィン３６ａ〜３６ｈは、ターンテーブル１６に対して、垂直に設けられる。なお、複数のフィン３６ａ〜３６ｈは、送風機能を有するものでありさえすればよく、ターンテーブル１６に対して垂直である必要はない。
【００８５】
スピンドルモータ３５は、複数のフィン３６ａ〜３６ｈを設けるための空間を確保する必要がある。このため、スピンドルモータ３５の回転部の直径は、図６（ａ）に示すように、ターンテーブル１６に近づくに従って小さくなる。
【００８６】
また、スピンドルモータ３５には、凹部として複数の溝を設けてもよい。このとき、複数の誘導溝は、ターンテーブル１６に対して、送風機能を発揮する程度に傾斜して設けられる。
【００８７】
次に、実施の形態３に係る光ディスク装置が、塵埃除去風を発生させる基本的な動作について説明する。
【００８８】
スピンドルモータ３５の回転部が回転すると、複数のフィン３６ａ〜３６ｈによって、光ディスク１４が搭載されたターンテーブル１６の半径方向に空気の流れが発生する。この空気の流れは、対物レンズ側領域に達するとともに、塵埃除去風として、対物レンズ側領域および光ディスク１４の表面に付着した塵埃を除去する。
【００８９】
これにより、実施の形態３に係る光ディスク装置は、保護部材１３ａ〜１３ｃや、光ディスク１４の表面などに付着したゴミや埃などを除去することができるため、保護部材１３ａ〜１３ｃと光ディスク１４とが衝突したとしても、光ディスク１４の表面に傷が発生する可能性を低減することが可能となる。
【００９０】
なお、複数のフィン３６ａ〜３６ｈは、例えばゴムなどの弾性体で形成されていてもよいし、ターンテーブルと一体形成されていてもよい。
【００９１】
（実施の形態４）
図７（ａ）は、本発明の実施の形態４に係る光ディスク装置のスピンドルモータ３５及びターンテーブル３０を、光ディスク１４の搭載面側から見た図である。図７（ｂ）は、実施の形態４に係る光ディスク装置のスピンドルモータ３５及びターンテーブル３０の一部断面を含む側面図である。図７（ｃ）は、図７（ｂ）のＥ−Ｅ断面図である。
【００９２】
実施の形態４に係る光ディスク装置は、実施の形態２に係るターンテーブル３０と、実施の形態４に係るスピンドルモータ３５とを組み合わせた構成である。実施の形態４に係る光ディスク装置のその他の構成は、実施の形態１に記載した光ディスク装置７１の構成と同様であるため、説明を省略する。
【００９３】
次に、実施の形態４に係る光ディスク装置が、塵埃除去風を発生させる基本的な動作について説明する。
【００９４】
スピンドルモータ３５の駆動に伴い、光ディスク１４が搭載されたターンテーブル３０、及びスピンドルモータ３５によって、ターンテーブル３０の半径方向に空気の流れが発生する。この空気の流れは、対物レンズ側領域に達するとともに、塵埃除去風として、対物レンズ側領域及び光ディスク１４の表面に付着した塵埃を除去する。
【００９５】
このように、ターンテーブル３０及びスピンドルモータ３５を用いて塵埃除去風を発生させるため、実施の形態４に係る光ディスク装置は、実施の形態１〜３に係る光ディスク装置より、風量の大きい塵埃除去風を発生させることができる。従って、実施の形態４に係る光ディスク装置は、保護部材１３ａ〜１３ｃや、光ディスク１４の表面などに付着したゴミや埃などを除去することができるため、保護部材１３ａ〜１３ｃと光ディスク１４とが衝突したとしても、光ディスク１４の表面に傷が発生する可能性を低減することが可能となる。
【００９６】
なお、実施の形態４に係る光ディスク装置は、ターンテーブル３０に代えて、ターンテーブル２０または２５を用いてもよい。
【００９７】
（実施の形態５）
図８（ａ）は、本発明の実施の形態５に係る光ディスク装置７５のスピンドルモータ１７及びターンテーブル２０付近を示す図である。図８（ｂ）は、光ディスク装置７５の、図８（ａ）のＦ−Ｆ方向から見た図である。
【００９８】
光ディスク装置７５は、実施の形態１に係る光ディスク装置７１が更に誘導板４０を備えた構成である。このため、光ディスク装置７５の誘導板４０以外の構成は、説明を省略する。
【００９９】
まず、誘導板４０の構造について、図８（ａ）及び（ｂ）を用いて説明する。
【０１００】
誘導板４０は、スピンドルモータ１７の回転部及びターンテーブル２０の双方の外周を取り囲むとともに、光ヘッド１１の保護部材１３ａ〜１３ｄの方向に開口部を有する。誘導板４０は、スピンドルモータ１７とターンテーブル２０とに対して独立に設置される。
【０１０１】
次に、光ディスク装置７５が、塵埃除去風を発生させる基本的な動作について説明する。
【０１０２】
スピンドルモータ１７の駆動に伴い、光ディスク１４を搭載したターンテーブル２０の回転によって、ターンテーブル２０の半径方向に、空気の流れが発生する。誘導板４０は、ターンテーブル２０の全ての半径方向に発生する空気の流れを、光ヘッド１１の方向へと誘導する。誘導された空気の流れは、対物レンズ側領域に達し、塵埃除去風として、対物レンズ側領域に付着した塵埃を除去する。
【０１０３】
このように、光ディスク装置７５は、実施の形態１に係る光ディスク装置７１より、非常に風量の大きい塵埃除去風を発生させることができる。従って、実施の形態１に係る光ディスク装置７１と比較して、光ディスク装置７５は、塵埃を除去する可能性を大きくすることができる。
【０１０４】
なお、誘導板４０は、スピンドルモータ１７の回転部及びターンテーブル２０の少なくとも一方を取り囲むように設けられていてもよい。
【０１０５】
また、上記の実施の形態２〜４に係る光ディスク装置が、上記の誘導板４０を備えてもよい。
【０１０６】
（実施の形態６）
ここでは、本発明に係る光ディスク装置の制御方法の一例として、スピンドルモータの駆動方法について説明する。
【０１０７】
本発明の実施の形態６に係る光ディスク装置は、上記の実施の形態１に係る光ディスク装置７１と同じ構成を有する。従って、実施の形態６に係る光ディスク装置の構成の説明を省略し、実施の形態６に係る光ディスク装置の、塵埃除去風を発生させるためのスピンドルモータの具体的な駆動方法について説明する。
【０１０８】
まず、スピンドルモータの基本的な駆動方法（第１の駆動方法）について説明する。
【０１０９】
実施の形態６に係る光ディスク装置は、ターンテーブル２０に光ディスク１４が搭載されているか否かに応じて、所定のタイミングで、スピンドルモータ１７を所定の期間駆動させる。
【０１１０】
すなわち、実施の形態６に係る光ディスク装置は、光ディスク１４が搭載されている場合であって、記録／再生動作をしていない状況下であっても、塵埃除去風を発生させるためにスピンドルモータ１７を、予め定められたタイミングで駆動させる。これにより、光ディスク１４の表面や、対物レンズの周辺に付着した塵埃を除去することができる。ここで、所定のタイミングとは、例えば、１時間毎に一定時間駆動させることが考えられる。
【０１１１】
また、光ディスク装置に光ディスク１４が搭載されていない場合でも、スピンドルモータ１７を、例えば、１時間毎又は数時間毎、あるいは、１日おき又は数日おきに一定時間駆・BR>ョさせることによって、対物レンズの周辺に付着した塵埃を除去することができ
る。ここで、スピンドルモータ１７を駆動させるタイミングは、光ディスク１４が搭載されている場合と、搭載されていない場合とにより、区別しても良いし、同じにしても良い。
【０１１２】
これにより、塵埃によって光ディスクの表面に傷が発生する可能性を低減することができる。
【０１１３】
次に、スピンドルモータの別の駆動方法（第２の駆動方法）について説明する。実施の形態６に係る光ディスク装置は、上記の第１の駆動方法を適用する構成とは別に、例えば、ユーザが光ディスク装置の蓋を開けるなどの、ユーザによる光ディスク１４の搭載動作を検知できる検知センサ（図示省略）を有するものとする。その場合、検知センサでの検知信号により、ターンテーブル２０に光ディスク１４が搭載される直前に予め、光ディスクの正回転方向又は逆回転方向にスピンドルモータ１７を、短時間だけ駆動させることが出来る。これにより、対物レンズの周辺領域に付着した塵埃を、光ディスク１４が搭載される前に予め除去できるため、光ディスク１４に傷が発生する可能性を低減することができる。
【０１１４】
なお、上記第２の駆動方法において、実施の形態６に係る光ディスク装置は、ターンテーブル２０の逆回転方向に回転させた場合、引き続き、正回転方向にモードを切り替えた上で回転を停止させる。このとき、ターンテーブル２０の回転を完全に停止させてもよいし、させなくてもよい。
【０１１５】
これは、実施の形態６に係る光ディスク装置を、ユーザがすぐに使用可能な状態とするためである。このように回転制御することにより、搭載された光ディスク１４の回転の立ち上がり時間を短縮できるので、光ディスク１４のデータを直ちに取得することが可能となり、ユーザの利便性を損なうことなく、対物レンズの周辺領域の塵埃を除去することが可能となる。
【０１１６】
尚、上記第２の駆動方法は、上記第１の駆動方法と組み合わせても勿論良い。
【０１１７】
次に、スピンドルモータの更に別の駆動方法（第３の駆動方法）について説明する。実施の形態６に係る光ディスク装置は、スピンドルモータ１７を駆動させる際に、ターンテーブル２０の回転方向を変化させる。例えば、実施の形態６に係る光ディスク装置は、ターンテーブル２０の正回転方向及び逆回転方向の向きにスピンドルモータ１７を交互に駆動させることによって、塵埃除去風の風向を変化させる。正回転方向とは、光ディスク装置が光ディスクの記録／再生動作を行う際に光ディスク回転させる方向のことをいい、逆回転方向とは、正回転方向の逆方向のこという。塵埃除去風の風向を変化させることによって、対物レンズ１１５や、光ディスク表面に付着した塵埃を除去することが可能となる。
【０１１８】
次に、スピンドルモータのまた更に別の駆動方法（第４の駆動方法）について説明する。実施の形態６に係る光ディスク装置は、スピンドルモータ１７を駆動させる際に、ターンテーブル２０の回転速度を変化させることによって、塵埃除去風の風速を変化させる。
【０１１９】
上記スピンドルモータ１７の第２及び第３の駆動方法のように、実施の形態６に係る光ディスク装置は、塵埃除去風の風速または風向を変化させることによって、塵埃除去風を乱流とすることができる。これにより、対物レンズの周辺や、光ディスク表面に付着した塵埃を除去する効果が、実施の形態１に係る光ディスク装置７１より大きくなる。
【０１２０】
尚、上記第３又は、第４の駆動方法を、上記第１及び／又は第２の駆動方法と組み合わせても良い。
【０１２１】
また、上記実施の形態１〜５に係る光ディスク装置に、本実施の形態のスピンドルモータの駆動方法を用いても、同様の効果が得られることはいうまでもない。
【０１２２】
（実施の形態７）
ここでは、本発明の光ディスク装置の制御方法の一例として、光ヘッドの制御方法について説明する。
【０１２３】
本発明の実施の形態７に係る光ディスク装置は、上記の実施の形態１に係る光ディスク装置７１と同じ構成を有する。従って、実施の形態７に係る光ディスク装置の構成の説明を省略し、実施の液体７に係る光ディスク装置の、光ヘッド１１の制御方法について、実施の形態１に係る光ディスク装置７１と異なる点を中心に、図２を用いて説明する。なお、基本的な動作は、実施の形態１に係る光ディスク装置７１と同じである。
【０１２４】
図２に示す矢印Ｆ、矢印Ｔまたは矢印Ｒの方向は、光ヘッド１１が移動可能な方向を示す。サーボ制御回路１３０は、光ヘッド１１を矢印Ｆ、矢印Ｔまたは矢印Ｒの方向に移動させることによって、対物レンズ側領域に対する塵埃除去風の風速、または風向を変化させる。
【０１２５】
矢印Ｆは、光ディスク１４の表面に対して垂直な方向を示す。サーボ制御回路１３０は、光ヘッド１１を矢印Ｆの方向に往復運動させ、対物レンズ１１５と光ディスク１４との距離を変化させる。矢印Ｔは、光ディスク１４の表面と平行な方向を示す。サーボ制御回路１３０は、光ヘッド１１を、矢印Ｔの方向に往復運動させることによって、対物レンズ１１５と、スピンドルモータ１７及びターンテーブル２０との距離を変化させる。
【０１２６】
本実施の形態の光ディスク装置は、光ヘッド１１を矢印Ｆ及び矢印Ｔの方向に往復運動させることによって、対物レンズ側領域に対する塵埃除去風の風速を変化させる。
【０１２７】
矢印Ｒは、光ディスク１４の表面に対して、傾斜する方向を示す。サーボ制御回路１３０は、光ヘッド１１を矢印Ｒの方向に回転運動させることによって、光ディスク１４の表面に対する光ヘッド１１の傾きを変化させる。
【０１２８】
本実施の形態７の光ディスク装置は、光ヘッド１１を矢印Ｒの方向に運動させることによって、光ヘッドに対する塵埃除去風の風向を変化し、塵埃除去風を乱流とすることができる。
【０１２９】
したがって、保護部材１３ａ〜１３ｃを含む対物レンズ周辺の領域と光ディスク１４の対物レンズ側の表面とに付着した塵埃を除去する効果を、実施の形態１の光ディスク装置７１と比較して、さらに大きくすることができる。また、矢印Ｆ、矢印Ｔ、及び矢印Ｒのそれぞれの方向の往復運動を組み合わせてもよい。
【０１３０】
なお、上記実施の形態２〜５に係る光ディスク装置に、本実施の形態の光ヘッドの駆動方法を用いても、同様の効果が得られることはいうまでもない。
【０１３１】
（実施の形態８）
ここでは、本発明の光ディスク装置の制御方法の一例として、光ヘッドの制御方法について説明する。
【０１３２】
図９は、本発明の実施の形態８に係る光ディスク装置７８の動作を説明する図である。光ディスク装置７８の構成は、図１〜図３に示す実施の形態１の光ディスク装置７１の構成に、さらにストッパ４１を備える構成である。このため、光ディスク装置７８のストッパ４１以外の構成の説明を省略し、光ディスク装置７８の光ヘッド１１の制御方法について、実施の形態１に係る光ディスク装置７１と異なる点を中心に、図９を用いて説明する。なお、基本的な動作は、実施の形態１に係る光ディスク装置７１と同じである。
【０１３３】
光ディスク装置７８において、サーボ制御回路１３０は、スピンドルモータ１７を駆動する前に、光ヘッド１１を所定の位置に移動させる。図９に示すように、光ヘッド１１の所定の位置とは、光ヘッドの機械的限界位置Ｍ、または光ヘッド最内周位置Ｓである。
【０１３４】
光ヘッド１１の機械的限界位置Ｍとは、その位置からさらに、光ヘッド１１の半径方向の内周側への移動が、物理的に不可能な限界位置のことをいう。光ヘッド１１の機械的限界位置Ｍを決定するために、図９に示すように、光ディスク１４の半径方向の内周方向への、光ヘッド１１の移動を阻止するストッパ４１を設置した。
なお、ストッパ４１に代えて、光ヘッドの位置検出用のセンサ（図示省略）を予め設けた構成でも良い。その場合、その位置検出用センサが光ヘッド１１を、例えば機械的限界位置Ｍにおいて検出した時点で、サーボ制御回路１３０が、光ヘッド１１の移動を停止させる構成としてもよい。
【０１３５】
また、光ディスクの最内周位置Ｓとは、光ディスク１４の半径方向における最も内周側にある、データの記録または再生可能な位置のことである。光ヘッドの最内周位置Ｓは、上記光ディスクの最内周位置に光スポットを形成するための光ヘッド１１の位置のことである。すなわち、光ヘッドの機械的限界位置Ｍは、光ディスクの最内周位置よりスピンドルモータ１７に近いことになる。
【０１３６】
このように、光ディスク装置７８は、光ヘッド１１をターンテーブル２０及びスピンドルモータ１７に近づけることによって、対物レンズ側領域に対する塵埃除去風の風速を増すことができる。これにより、光ディスク装置７８は、対物レンズ側領域に付着した塵埃を除去する効果を、上記の実施の形態１に係る光ディスク装置７１と比較して大きくすることができる。
【０１３７】
なお、本実施の形態において、ターンテーブル２０に代えてターンテーブル２５またはターンテーブル３０を、またスピンドルモータ１７に代えてスピンドルモータ３５を用いることができることは、言うまでもない。
【０１３８】
また、上記実施の形態１〜８では、便宜上、光ディスク装置７１に光ディスク１４が搭載された状態の例を説明したが、これに限らず、光ディスク１４が搭載されていなくても、上記と同様の効果を発揮し得る。
【０１３９】
また、上記実施の形態１〜５に係る光ディスク装置に、本実施の形態６〜８の光ディスクの駆動方法を適用しても良い。その場合でも、上記と同様に、光ディスクの周辺又は、対物レンズの周辺に付着した塵埃を効果的に除去することが出来る。
【０１４０】
（実施の形態９）
ここでは、本発明の光ディスク装置の一実施の形態について、図１０Ａおよび図１０Ｂを用いて説明する。
【０１４１】
図１０Ａは、本発明の実施の形態９に係る光ディスク装置７９の上面図である。図１０Ｂは、図１０Ａに示す光ディスク装置７９のＧ−Ｇ断面図である。
【０１４２】
図１０Ａ及び図１０Ｂに示す光ディスク装置７９を構成するブロックが、従来の光ディスク装置９０を構成するブロックと同じ動作をするものについては、従来の光ディスク装置９０を構成するブロックと同じ参照符号を付し、その説明を省略する。
【０１４３】
以下の説明では、光ディスク装置７９に光ディスク１４が搭載されていることが前提となる。これは、光ディスク装置７９が、光ディスク１４の回転と空気の粘性とによって発生する空気の流れを、塵埃除去風として利用するためである。
【０１４４】
以下、光ディスク装置７９の構成について説明する。
【０１４５】
光ディスク装置７９は、アクチュエータカバー１８に代えて、アクチュエータカバー５０を備える。アクチュエータカバー５０は、光ディスク１４に対向する面に、導風部としての、第１の溝部５１ａ及び第２の溝部５１ｂを有する。第１の溝部５１ａと第２の溝部５１ｂとは、対物レンズ１１５を中心として、アクチュエータカバー５０の光ディスク１４の円周方向にそれぞれ設けられる。なお、溝部は、二つである必要はなく、光ディスク１４の円周方向のどちらか一方に設けられていればよい。
【０１４６】
続いて、第１の溝部５１ａ及び第２の溝部５１ｂについて説明する。
【０１４７】
第１の溝部５１ａは、アクチュエータカバー５０の一方の円周方向側の側面に開放部５３を有する。第１の溝部５１ａの幅５４は、開放部５３から対物レンズ１１５に向かうに従い、徐々に狭くなり、対物レンズ１１５側で最小となる。図１０Ａに示すように、第１の溝部５１ａを形成する二つの側面のなす角度がα（α＜９０°）となるように、第１の溝部５１ａが形成されていればよい。また、第１の溝部５１ａの深さは、開放部５３から対物レンズ１１５に向かうに従い、徐々に小さくなり、対物レンズ１１５側で最小となる。図１０Ｂに示すように、第１の溝部５１ａの底面５４ａと、光ディスク１４との角度がβ（β＜９０°）となるように、第１の溝部５１ａが形成されていればよい。
【０１４８】
第２の溝部５１ｂの形状は、第１の溝部５１ａと同様であるため、その説明を省略する。なお、第１の溝部５１ａの形状と第２の溝部５１ｂの形状とが同一である必要はない。
【０１４９】
次に、光ディスク装置７９が、塵埃除去風を発生させる基本的な動作について説明する。
【０１５０】
空気には粘性があるため、光ディスク１４が回転すると、光ディスク１４の表面の空気は光ディスク１４の円周方向に引っ張られ、空気の流れ５２ａが発生する。また、光ディスク１４が回転すると、遠心力によって、光ディスク１４の表面の半径方向に、空気の流れ５２ｂが発生する。この結果、空気の流れ５２ａ及び５２ｂが合成された空気の流れ５２が発生する。
【０１５１】
第１の溝部５１ａは、空気の流れ５２を対物レンズ１１５の方向に導く。この結果、空気の流れ５２は、塵埃除去風として、保護部材１３ａ〜１３ｃを含む対物レンズ１１５の周辺領域（以下、対物レンズ周辺領域という）に付着した塵埃を除去する。また、第２の溝部５１ｂは、光ディスク１４が逆回転方向に回転することによって発生する空気の流れを、塵埃除去風として対物レンズ周辺領域に導き、塵埃を除去する。
【０１５２】
これにより、光ディスク装置７９は、保護部材１３ａ〜１３ｃや、光ディスク１４の表面などに付着したゴミや埃などを除去することができるため、保護部材１３ａ〜１３ｃと光ディスク１４とが衝突したとしても、光ディスク１４の表面に傷が発生する可能性を低減することが可能となる。
【０１５３】
（実施の形態１０）
ここでは、本発明の光ディスク装置の一実施の形態について、図１１を用いて説明する。
【０１５４】
本発明の実施の形態１０に係る光ディスク装置８０の構成は、実施の形態９に係る光ディスク装置７９の構成と同じであるため、その説明を省略し、実施の形態９に係る光ディスク装置７９と異なる動作のみを説明する。なお、基本的な動作は、実施の形態７に係る光ディスク装置７９と同じである。
【０１５５】
図１１は、図１０Ｂのアクチュエータカバー５０付近を拡大した図である。サーボ制御回路１３０は、アクチュエータコイル１１７にフォーカス方向に電圧を加えることによって、対物レンズホルダ１９をアクチュエータカバー５０に接触するまで移動させる。対物レンズホルダ１９がアクチュエータカバー５０に接触しても、保護部材１３ａ〜１３ｃは、光ディスク１４に接触しない。
【０１５６】
対物レンズホルダ１９をアクチュエータカバー５０に接触させるまで移動させることによって、対物レンズ１１５及び保護部材１３ａ〜１３ｃと、光ディスク１４とが接近する。この結果、光ディスク装置８０は、対物レンズ側領域に対する塵埃除去風の風速を、光ディスク装置７９より大きくすることができる。
【０１５７】
従って、実施の形態１０に係る光ディスク装置８０は、実施の形態９に係る光ディスク装置７９よりも、塵埃を除去する効果を大きくすることができる。
【０１５８】
（実施の形態１１）
ここでは、本発明の光ディスク装置の一実施の形態について、図１２Ａおよび図１２Ｂを用いて説明する。
【０１５９】
図１２Ａは、本発明の実施の形態１１に係る光ディスク装置８１の上面図である。図１２Ｂは、図１２Ａに示す光ディスク装置８１のＨ−Ｈ断面図である。本実施の形態の光ディスク装置８１は、実施の形態９の光ディスク装置７９のアクチュエータカバー５０に代えて、アクチュエータカバー５５を備える構成である。
【０１６０】
このため、光ディスク装置８１のアクチュエータカバー５５以外の構成は、説明を省略し、光ディスク装置８１について、実施の形態９に係る光ディスク装置７９と異なる点を中心に、図１２Ａおよび図１２Ｂを用いて説明する。なお、基本的な動作は、光ディスク装置７９と同じである。
【０１６１】
まず、アクチュエータカバー５５の構造を説明する。
【０１６２】
アクチュエータカバー５０とアクチュエータカバー５５との差異は、アクチュエータカバー５５の第１の溝部５６ａの底面に、複数の凸部５７ａ〜５７ｃが設けられている点である。
【０１６３】
複数の凸部５７ａ〜５７ｃは、空気の流れ５８が通過する位置に設けられている。このため、複数の凸部５７ａ〜５７ｃは、空気の流れ５８が第１の溝部５６ａを通過する際に、空気の流れ５８の流れを乱す。この結果、塵埃除去風は乱流となるため、光ディスク装置８１は、対物レンズ周辺領域に付着した塵埃を除去する効果を、光ディスク装置７９と比較して、大きくすることができる。
【０１６４】
なお、図１２Ａ及び図１２Ｂには、３個の凸部５７ａ〜５７ｃが図示されているが、凸部の数はこれに限られるものではない。また、複数の凸部５７ａ〜５７ｃは、第２の溝部５６ｂに設けられていてもよい。
【０１６５】
（実施の形態１２）
ここでは、本発明の光ディスク装置の一実施の形態について説明する。
【０１６６】
図１３Ａは、本発明の実施の形態１２に係る光ディスク装置８２の上面図である。図１３Ｂは、図１３Ａに示す光ディスク装置８２のＩ−Ｉ断面図である。
【０１６７】
図１３Ａ及び図１３Ｂに示す光ディスク装置８２を構成するブロックが、従来の光ディスク装置９０を構成するブロックと同じ動作をするものについては、同じ参照符号を付し、その説明を省略する。
【０１６８】
以下の説明では、実施の形態９に係る光ディスク装置７９と同様に、光ディスク装置８２に光ディスク１４が搭載されていることが前提となる。
【０１６９】
まず、光ディスク装置８２の構成について説明する。
【０１７０】
光ディスク装置８２は、従来の光ディスク装置９０と異なり、アクチュエータカバー１８を備えない。また、光ディスク装置８２は、従来の光ディスク装置９０の対物レンズホルダ１９に代えて、対物レンズホルダ６０を備える。
【０１７１】
対物レンズホルダ６０は、光ディスク１４に対向する面に、導風部としての、第１の溝部６１ａ及び第２の溝部６１ｂを有する。第１の溝部６１ａと第２の溝部６１ｂとは、対物レンズ１１５を中心として、光ディスク１４の円周方向にそれぞれ設けられる。なお、溝部は、二つである必要はなく、光ディスク１４の円周方向のどちらか一方に設けられていればよい。
【０１７２】
続いて、第１の溝部６１ａ及び第２の溝部６１ｂについて説明する。
【０１７３】
第１の溝部６１ａは、対物レンズホルダ６０の一方の円周方向側の側面に、開放部を有する。第１の溝部６１ａの幅は、開放部から対物レンズ１１５に向かうに従い、徐々に狭くなり、対物レンズ１１５側で最小となる。図１３Ａに示すように、第１の溝部６１ａを形成する二つの側面のなす角度がα（α＜９０°）となればよい。また、第１の溝部６１ａの深さは、開放部から対物レンズ１１５に向かうに従い、徐々に小さくなり、対物レンズ１１５側で最小となる。図１３Ｂに示すように、第１の溝部６１ａの底面と、光ディスク１４との角度がβ（β＜９０°）となればよい。
【０１７４】
第２の溝部６１ｂの形状は、第１の溝部６１ａと同じであるため、その説明を省略する。なお、第１の溝部６１ａと第２の溝部６１ｂとの形状が同一である必要はない。
【０１７５】
次に、光ディスク装置８２が、塵埃除去風を発生させる基本的な動作について説明する。
【０１７６】
実施の形態９で説明したように、光ディスク１４が回転すると、光ディスク１４の表面上に、光ディスク１４の円周方向に流れる空気の流れ６２ａと、光ディスク１４の半径方向に流れる空気の流れ６２ｂが発生する。この結果、空気の流れ６２ａ及び６２ｂが合成された空気の流れ６２が発生する。
【０１７７】
第１の溝部６１ａは、空気の流れ６２を対物レンズ周辺領域に導く。この結果、空気の流れ６２は、塵埃除去風として、対物レンズ周辺領域に付着した塵埃を除去する。また、第２の溝部６１ｂは、光ディスク１４が逆回転方向に回転することによって発生する空気の流れを、塵埃除去風として対物レンズ周辺領域に導き、塵埃を除去する。
【０１７８】
これにより、光ディスク装置８２は、保護部材１３ａ〜１３ｃや、光ディスク１４の表面などに付着したゴミや埃などを除去することができるため、保護部材１３ａ〜１３ｃと光ディスク１４とが衝突したとしても、光ディスク１４の表面に傷が発生する可能性を低減することが可能となる。
【０１７９】
（実施の形態１３）
ここでは、本発明の光ディスク装置の一実施の形態について説明する。
【０１８０】
図１４Ａは、本発明の実施の形態1３に係る光ディスク装置８３の断面図である。図１
４Ｂは、図１４Ａに示す光ディスク装置８３のＪ−Ｊ断面図である。
【０１８１】
光ディスク装置８３の構成は、従来の光ディスク装置９０に、さらに導風板６５を備える構成である。このため、光ディスク装置８３の導風板６５以外の構成は、説明を省略し、光ディスク装置８３について、従来の光ディスク装置９０と異なる点を中心に、図１４Ａおよび図１４Ｂを用いて説明する。なお、基本的な動作は、従来の光ディスク装置９０と同じである。
【０１８２】
以下の説明では、実施の形態９に係る光ディスク装置７９と同様に、光ディスク装置８３に光ディスク１４が搭載されていることが前提となる。
【０１８３】
まず、導風板６５について説明する。
【０１８４】
導風板６５は、光ディスク１４の回転に伴い発生する空気の流れ６８を、塵埃除去風として対物レンズ周辺領域に導く導風板である。図１４Ａでは、導風板６５を光ヘッド１１の円周方向の一方のみに位置する状態で図示している。しかし、導風板６５を、光ヘッド１１の円周方向の両方向に配置してもよい。
【０１８５】
導風板６５は、ステー６９３を介してシャーシ６９１に固定される。シャーシ６９１は、光ヘッド１１の一端をガイドするガイドシャフト６９２と、光ヘッド１１を光ディスク１４の半径方向に送るリードスクリュー６９４とを固定するためのシャーシである。
【０１８６】
次に、導風板６５の構造について説明する。
【０１８７】
導風板６５の光ディスク１４に対向する面を底部６９とした場合、導風板６５は、底部６９から光ディスク１４の円周方向に沿って形成され、底部６９から光ディスク側に延びる二つの側壁６６ａ及び６６ｂを有する。側壁６６ａは、底部６９の内周側に形成され、側壁６６ｂは、底部６９の外周側に形成される。すなわち、導風板６５は、光ヘッド１１側に開放部６７を有する溝状の形状となる。図１４Ｂに示すように、導風板６５の底部６９が、光ディスク１４の記録面に対して、開放部６７側が光ディスク１４側に傾いている。また、図１４Ａに示すように、導風板６５の底部６９は、側壁６６ａと側壁６６ｂとの間隔が、光ヘッド１１に近づくに従い、狭くなっている。
【０１８８】
続いて、光ディスク装置８３が塵埃除去風を発生させる基本的な動作を説明する。
【０１８９】
光ディスク１４の回転に伴い発生する空気の流れ６８は、導風板６５に取り込まれる。空気の流れ６８は、導風板６５の底部の傾き、及び側壁６６ａと側壁６６ｂとの間隔が狭くなるために圧縮される。圧縮された空気の流れ６８は、風速が増した状態で開放部６７から塵埃除去風として放出される。このように、導風板６５は、空気の流れ６８を、塵埃除去風として効率良く、対物レンズ周辺領域へ導き、対物レンズ周辺領域に付着した塵埃を除去する。
【０１９０】
これにより、光ディスク装置８３は、保護部材１３ａ〜１３ｃや、光ディスク１４の表面などに付着したゴミや埃などを除去することができるため、保護部材１３ａ〜１３ｃと光ディスク１４とが衝突したとしても、光ディスク１４の表面に傷が発生する可能性を低減することが可能となる。
【０１９１】
なお、本実施の形態において、アクチュエータカバー１８に代えて、アクチュエータカバー５０または５５を用いてもよい。これにより、塵埃を除去する効果を、導風板６５のみを用いた場合より大きくすることができる。また、光ヘッド１１を、光ディスク１４の半径方向に往復運動させてもよい。これにより、対物レンズ周辺領域に対する塵埃除去風の風向が変わるため、対物レンズ周辺領域に乱流を発生することができる。従って、塵埃を除去する効果を大きくすることができる。
【０１９２】
また、本実施の形態において、アクチュエータカバー１８を取り外し、対物レンズホルダ６０を用いても良い。
【０１９３】
（実施の形態１４）
ここでは、本発明に係るディスクカートリッジの一実施の形態について説明する。
【０１９４】
図１５Ａは、従来の光ディスク装置９０が、本発明に係る実施の形態１４のディスクカートリッジ８４を搭載した状態を示す上面図である。図１５Ｂは、図１５ＡのＫ−Ｋ断面図である。なお、図１５Ｂは、光ヘッド１１を図１５Ａに示すＫ−Ｋ線上に移動した状態を示している。
【０１９５】
以下、図１５Ａ及び図１５Ｂを用いて、実施の形態１４のディスクカートリッジ８４について説明する。
【０１９６】
図１５Ｂに示すディスクカートリッジ８４は、上側本体８４ａと下側本体８４ｂとを備える。上側本体８４ａは、ディスクカートリッジ８４の光ヘッド１１側の筐体である。上側本体８４ａには、アクチュエータカバー１８と、ターンテーブル１６とを上側本体８４ａの内部にまで侵入させるための開口部８７が設けられている。下側本体８４ｂは、ディスクカートリッジ８４の光ヘッド１１と反対側の筐体である。尚、開口部８７には、スライド式のシャッター（図示省略）が設けられている。
【０１９７】
次に、上側本体８４ａの構造について説明する。
【０１９８】
上側本体８４ａは、光ディスク１４に対向する面に、第１の溝８５と第２の溝８６とを有する。第１の溝８５及び第２の溝８６は、光ディスク１４の円周方向に沿って設けられており、開口部８７の縁部にそれぞれ開放部８５ｃ及び８６ｃを有する。
【０１９９】
第１の溝８５は、ディスクカートリッジ８４の開口部８７から円周方向に沿って延びる第１の側壁８５ａ及び第２の側壁８５ｂによって形成される。第１の側壁８５ａは、光ディスク１４の外周側に設けられ、第２の側壁８５ｂは、内周側に設けられる。第１の側壁８５ａと第２の側壁８５ｂとの間隔は、開口部８７に近づくに従い、小さくなる。
【０２００】
第２の溝８６は、開口部８７を挟んで、第１の溝８５と反対側の位置に設けられる。第２の溝８６は、ディスクカートリッジ８４の開口部８７から円周方向に沿って延びる第３の側壁８６ａ及び第４の側壁８６ｂによって形成される。第３の側壁８６ａは、光ディスク１４の外周側に設けられ、第４の側壁８６ｂは、内周側に設けられる。第３の側壁８６ａと第４の側壁８６ｂとの間隔は、開口部８７に近づくに従い、小さくなる。
【０２０１】
続いて、ディスクカートリッジ８４が塵埃除去風を導く原理について説明する。
【０２０２】
光ディスク１４が正回転方向に回転すると、円周方向の空気の流れ８８ａと、半径方向の空気の流れ８８ｂとが合成された、空気の流れ８８が発生する。空気の流れ８８は、第１の溝８５に取り込まれる。空気の流れ８８は、開口部８７に近づくに従い圧縮される。圧縮された空気の流れ８８は、開放部８５ｃから塵埃除去風として放出される。開放部８５ｃから放出された塵埃除去風は、対物レンズ周辺領域に付着した塵埃を除去する。
【０２０３】
一方、光ディスク１４が逆回転方向に回転すると、円周方向の空気の流れ８９ａと、半径方向の空気の流れ８９ｂとが合成された、空気の流れ８９が発生する。空気の流れ８９は、第２の溝８６に取り込まれる。このため、空気の流れ８９は、開口部８７に近づくに従い圧縮される。圧縮された空気の流れ８９は、開放部８６ｃから塵埃除去風として放出される。開放部８６ｃから放出された塵埃除去風は、対物レンズ周辺領域に付着した塵埃を除去する。
【０２０４】
これにより、本実施の形態のディスクカートリッジは、光ディスク装置に搭載されることによって、光ディスク装置９０の保護部材１３ａ〜１３ｃや、光ディスク１４の表面などに付着したゴミや埃などを除去することができる。このため、保護部材１３ａ〜１３ｃと光ディスク１４とが衝突したとしても、光ディスク１４の表面に傷が発生する可能性を低減することが可能となる。
【０２０５】
図１６は、第１の溝８５及び第２の溝８６の底面にテーパ部を設けたディスクカートリッジ８４１の断面図である。図１６に示すディスクカートリッジ８４１には、第１の溝８５及び第２の溝８６の底部に、開口部８７に近づくに従って溝の深さが小さくなるテーパ部８５ｄ及び８６ｄがそれぞれ設けられている。ディスクカートリッジ８４１がテーパ部８５ｄ及び８６ｄを有することによって、空気の流れ８８及び８９を更に圧縮することが可能となり、図１５Ａ及び図１５Ｂに示すディスクカートリッジ８４を用いた場合より、塵埃除去風の風速を早くすることができる。
【０２０６】
なお、本実施の形態に係るディスクカートリッジは、従来の光ディスク装置９０に搭載されるものとして説明したが、実施の形態１〜１３の光ディスク装置に本実施の形態に係るディスクカートリッジを搭載してもよいことは、言うまでもない。
【０２０７】
なお、誘導溝が形成されたターンテーブルを用いるタイプの上記の実施の形態において、誘導溝の断面は、図３（ｂ）のＬ−Ｌ断面図である図３（ｄ）により示したが、これに限らず、ターンテーブルの回転に伴って、塵埃除去風を発生することができれば、どのような形状でもよい。例えば、断面形状は、半円形状、Ｕ字型形状、またはＶ字型形状とすることなどが考えられる。
【０２０８】
なお、誘導溝が形成されたターンテーブルを用いるタイプの上記の実施の形態において説明したターンテーブルは、複数の誘導溝及びフィンをそれぞれ８個ずつ有するものとして説明したが、誘導溝及びフィンの数は、これに限られるものではない。また、上記の実施の形態においてターンテーブルには、誘導溝またはフィンの何れか一方が設けられていてもよい。
【産業上の利用可能性】
【０２０９】
本発明にかかる光ディスク装置、及び光ディスク装置の制御方法は、光ディスクのデータ記録面が傷つくという可能性を低減する効果を有し、光ディスク装置、及び光ディスク装置の制御方法等として有用である。
【符号の説明】
【０２１０】
１０、７１、７５、７８、７９、８０、８１、８２、８３  光ディスク装置
１１  光ヘッド
１３ａ〜１３ｃ  保護部材
１４  光ディスク
１５  トラバースモータ
１６、２０、２５、３０  ターンテーブル
１７、３５  スピンドルモータ
１８、５０、５５  アクチュエータカバー
１９、６０  対物レンズホルダ
２２ａ〜２２ｈ、２６ａ〜２６ｈ、３１ａ〜３１ｈ  誘導溝
２３ａ〜２３ｈ、３６ａ〜３６ｈ  フィン
２４ａ〜２４ｈ  開放部
３２ａ〜３２ｈ  貫通孔
３３ａ〜３３ｈ  底部
２４，３４  外周縁部
３４ａ〜３４ｈ  開放部
４０  誘導板
４１  ストッパ
５１ａ、５１ｂ、５６ａ、５６ｂ、６１ａ、６１ｂ、８５、８６  溝部
５２、５２ａ、５２ｂ、５８、５８ａ、５８ｂ、６２、６２ａ、６２ｂ、６８、６８ａ、６８ｂ、８８、８８ａ、８８ｂ、８９、８９ａ、８９ｂ  空気の流れ
５３、６７、８５ｃ、８６ｃ  開放部
５４ａ  溝部の幅
５４ａ  底面
５７ａ〜５７ｃ  凸部
６５  導風板
６６ａ、６６ｂ、８５ａ、８５ｂ、８６ａ、８６ｂ  側壁
８４  ディスクカートリッジ
８４ａ  上側本体
８４ｂ  下側本体
８５ｄ、８６ｄ  テーパ部
８７  開口部
１１１  半導体レーザ
１１２  ビームスプリッタ
１１３  コリメートレンズ
１１４  ミラー
１１５  対物レンズ
１１７  アクチュエータコイル
１１８  マルチレンズ
１１９  フォトダイオード
１２０  信号処理回路
１３０  サーボ制御回路
６９１  シャーシ
６９２  ガイドシャフト
６９３  ステー
６９４  リードスクリュー
【図１】
0005449451.tif 000002
【図２】
0005449451.tif 000003
【図３】
0005449451.tif 000004
【図４】
0005449451.tif 000005
【図５】
0005449451.tif 000006
【図６】
0005449451.tif 000007
【図７】
0005449451.tif 000008
【図８】
0005449451.tif 000009
【図９】
0005449451.tif 000010
【図１０Ａ】
0005449451.tif 000011
【図１０Ｂ】
0005449451.tif 000012
【図１１】
0005449451.tif 000013
【図１２Ａ】
0005449451.tif 000014
【図１２Ｂ】
0005449451.tif 000015
【図１３Ａ】
0005449451.tif 000016
【図１３Ｂ】
0005449451.tif 000017
【図１４Ａ】
0005449451.tif 000018
【図１４Ｂ】
0005449451.tif 000019
【図１５Ａ】
0005449451.tif 000020
【図１５Ｂ】
0005449451.tif 000021
【図１６】
0005449451.tif 000022
【図１７】
0005449451.tif 000023
【図１８】
0005449451.tif 000024